(57)【要約】【課題】  既設鴨居の形状にかかわらず折戸扉の扉板の位置決めを確実に行うことができ、かつ、スッキリとした外観を得ることができるアウトセット折戸扉設置補助具を提供すること。【解決手段】  室内の収納スペースの開口部の周縁に組付けられた枠縁材の前面に折戸式の扉板Ｄを配設するための吊支補助具であって、直棒状の長手部材であって、本体１の下面には長手方向に亙る凹溝２を形成して、固着具３によって前記本体１の上面を前記開口部の上部に設けられた既設鴨居Ｋの下面に固着可能にするとともに、凹溝２内にガイドレールＲを固定可能に構成して、このガイドレールＲの内側には吊支部品ｈをスライド自在に収容して、かつ、この吊支部品ｈは開口部側に屈曲して扉板Ｄを支持可能であって、当該扉板Ｄを枠縁材の前面に配設可能にする。【選択図】  図５
2018150735.tif 000002
【特許請求の範囲】
【請求項１】
室内の収納スペースの開口部の周縁に組付けられた枠縁材の前面に折戸式の扉板（Ｄ）を配設するための吊支補助具であって、
直棒状の長手部材であって、本体（１）の下面には長手方向に亙る凹溝（２）が形成されており、固着具（３）によって前記本体（１）の上面を前記開口部の上部に設けられた既設鴨居（Ｋ）の下面に固着可能であるとともに、凹溝（２）内にガイドレール（Ｒ）が固定可能に構成されており、
このガイドレール（Ｒ）の内側には吊支部品（ｈ）がスライド自在に収容されており、かつ、この吊支部品（ｈ）は開口部側に屈曲して扉板（Ｄ）を支持可能であって、当該扉板（Ｄ）を枠縁材の前面に配設可能であることを特徴とするアウトセット折戸扉設置補助具。
【請求項２】
本体（１）が、一様な断面形状の直棒状であることを特徴とする請求項１記載のアウトセット折戸扉設置補助具。
【請求項３】
本体（１）が、製材木、集成木材、合成木材などの木質系材料からなることを特徴とする請求項１または２記載のアウトセット折戸扉設置補助具。
【発明の詳細な説明】
【技術分野】
【０００１】
本発明は、アウトセット折戸扉の構造の改良、更に詳しくは、既設鴨居の形状にかかわらず折戸扉の扉板の位置決めを確実に行うことができ、かつ、スッキリとした外観を得ることができるアウトセット折戸扉設置補助具に関するものである。
【背景技術】
【０００２】
近年、住宅のリフォーム工事が盛んに行われており、和室における収納スペースの代表である押入において、襖などの引き戸を撤去して、モダンな外観で、かつ、全開きが容易で使い勝手の良い折戸扉の人気が高い。
【０００３】
この折戸扉の設置構造には、主にインセット式とアウトセット式とがあり、開口部（押入スペース）の枠縁材の内側に戸板が収容される構造はインセット式と呼ばれ、開口部の上面にガイドレールを設け、このガイドレールの直下に扉板を吊支するものである。
【０００４】
しかしながら、かかるインセット式の構造では、上下二段に構成されている押入をリフォームする場合には、下段の押入にしか設置できないという問題がある。
【０００５】
一方、開口部の枠縁材の前面に扉板が配置される構造はアウトセット式と呼ばれ、開口部の上面に設けられている既存の鴨居の溝を利用して、この溝にガイドレールを設置して吊支部品をスライドさせることができ、この吊支部品を押入スペースの外側に持ち出して扉板を吊支している。
【０００６】
しかしながら、既設の鴨居の溝が設けられている位置や幅は、住宅によって区々であるため、正確な位置にガイドレールを設置するためには、その都度、寸法（鴨居溝から開口部前面までの距離）に適合したガイドレールや吊支部品を選択しなければならないという問題があった。
【０００７】
そこで、従来、既設の鴨居の位置にかかわらずに、壁面または鴨居に吊支具を固定して、折戸扉をアウトセット式に配置するものが開示されている（特許文献１参照）。
【０００８】
しかしながら、かかる構造では、アウトセット式に扉は配置できるものの、ガイドレールの直下に扉板を吊支する方式であるために、吊支部品が開口枠の前上側（部屋側）に突出するように固着せねばならず、不可避的に折戸扉以外の部品が室内に現れてしまい、本来のアウトセット式の目的である「折戸扉のみが室内に現れるスッキリしたまとまりの良い外観」が得られず、せっかくのインテリアデザインが台無しになってしまうという不満がある。
【０００９】
また、鴨居の下面および側面に吊支部品を固着しているため、扉板の荷重が鴨居の略真横にかかってくるため、モーメントによって鴨居および固定ビスへの負担が大きくなり、故障の原因となり易いという問題がある。
【００１０】
更にまた、吊支部品が開口枠の前上側に突出しているため、開口部の枠縁材と扉板との間に隙間ができ易く、この間隔を調整するために余分な手間がかかってしまい、施工性が悪いという問題もある。
【先行技術文献】
【特許文献】
【００１１】
【特許文献１】特開２０１６−７９６５７号公報
【発明の概要】
【発明が解決しようとする課題】
【００１２】
本発明は、従来のアウトセット折戸扉の構造に上記のような問題があったことに鑑みて為されたものであり、その目的とするところは、既設鴨居の形状にかかわらず折戸扉の扉板の位置決めを確実に行うことができ、かつ、スッキリとした外観を得ることができるアウトセット折戸扉設置補助具を提供することにある。
【課題を解決するための手段】
【００１３】
本発明者が上記技術的課題を解決するために採用した手段を、添付図面を参照して説明すれば、次のとおりである。
【００１４】
即ち、本発明は、室内の収納スペースの開口部の周縁に組付けられた枠縁材の前面に折戸式の扉板Ｄを配設するための吊支補助具であって、
直棒状の長手部材であって、本体１の下面には長手方向に亙る凹溝２を形成して、固着具３によって前記本体１の上面を前記開口部の上部に設けられた既設鴨居Ｋの下面に固着可能にするとともに、凹溝２内にガイドレールＲを固定可能に構成して、
このガイドレールＲの内側には吊支部品ｈをスライド自在に収容して、かつ、この吊支部品ｈは開口部側に屈曲して扉板Ｄを支持可能であって、当該扉板Ｄを枠縁材の前面に配設可能にするという技術的手段を採用したことによって、アウトセット折戸扉設置補助具を完成させた。
【００１５】
また、本発明は、上記課題を解決するために、必要に応じて上記手段に加え、本体１を、一様な断面形状の直棒状にするという技術的手段を採用することができる。
【００１６】
更にまた、本発明は、上記課題を解決するために、必要に応じて上記手段に加え、本体１を、製材木、集成木材、合成木材などの木質系材料にするという技術的手段を採用することができる。
【発明の効果】
【００１７】
本発明は、直棒状の長手部材であって、本体の下面には長手方向に亙る凹溝を形成して、固着具によって前記本体の上面を前記開口部の上部に設けられた既設鴨居の下面に固着可能にするとともに、凹溝内にガイドレールを固定可能に構成したことによって、既設鴨居の形状にかかわらず折戸扉の扉板の位置決めを確実に行うことができる。
【００１８】
即ち、本体における凹溝の形成位置を所定の寸法に定めておくことにより、ガイドレールの位置が確定するため、本体を既設鴨居の下面の所定位置に合わせて固着すれば、統一した吊支部品を使用することができて、施工の手間を省くことができる。
【００１９】
また、ガイドレールおよび吊支部品が既設鴨居の下面に配設されるため、収納スペースの開口部の前面には折戸扉の扉板のみを配設させることができることから、スッキリとした外観を得ることができる。
【図面の簡単な説明】
【００２０】
【図１】本発明の実施形態のアウトセット折戸扉を表わす全体斜視図である。
【図２】本発明の実施形態の補助具を表わす斜視図である。
【図３】本発明の実施形態の補助具を表わす斜視図である。
【図４】本発明の実施形態の補助具の使用状態を表わす拡大断面図である。
【図５】本発明の実施形態の補助具の使用状態を表わす全体断面図である。
【発明を実施するための形態】
【００２１】
本発明の実施形態を図１から図５に基づいて説明する。図中、符号１で指示するものは本体であり、符号２で指示するものは凹溝である。
【００２２】
本実施形態におけるアウトセット折戸扉の構成は、図１に示すように、室内の収納スペース（押入）の開口部の周縁に組付けられた枠縁材の前面に折戸式の扉板Ｄを配設するものである。
【００２３】
本実施形態のアウトセット折戸扉設置補助具について説明する。直棒状の長手部材であって、本体１の下面には長手方向に亙る凹溝２が形成されている（図２および図３参照）。本実施形態では、本体１を一様な断面形状の直棒状にすることができ、成形性が良く、また、両端をカットするだけで良いため施工性を向上することができる。
【００２４】
また、本実施形態では、本体１を製材木、集成木材（合板）、合成木材（ＬＶＬ：単板積層材、ＭＤＦ：中質繊維板など）などの木質系材料で成形することができ、加工性が良く、適度な硬度で後述する固着具３の定着性を良くすることができる。
【００２５】
そして、固着具３によって前記本体１の上面を前記開口部の上部に設けられた既設鴨居Ｋの下面に固着可能であるとともに、凹溝２内にガイドレールＲが固定可能に構成されている。固着具３としては、ビス（螺子）を採用するのが強度および施工性の点から好ましいが、釘や接着剤、両面テープなどを採用することもできる。
【００２６】
また、凹溝２の断面形状を略矩形にして、ガイドレールＲの外周面を嵌着することによってより安定感が増し（図４参照）、更にガイドレールＲはビスなどで本体１に固定することができる。なお、本体１の上面と凹溝２の側壁面を直交にすることにより、ガイドレールＲの開口方向を鉛直にすることができる。
【００２７】
このガイドレールＲの内側には吊支部品ｈがスライド自在に収容されており、かつ、この吊支部品ｈは開口部側に屈曲して扉板Ｄを支持可能である。この屈曲部分によって、当該扉板Ｄを枠縁材の前面に配設することができ、アウトセット折戸扉を設置することができるのである（図５参照）。
【００２８】
本発明は、概ね上記のように構成されるが、図示の実施形態に限定されるものでは決してなく、「特許請求の範囲」の記載内において種々の変更が可能であって、例えば、本体１の使用材料は、プラスチック材料や金属材料を採用することもでき、プラスチック材料に木粉を混合させた材料であっても良い。また、押出成形機を使用することによって、容易に大量生産することができる。
【００２９】
更にまた、ガイドレールＲの開口方向を鉛直にして吊支部品ｈを鉛直方向に吊支できるものであれば、本体１の上面と凹溝２の側壁面とが直交していなくても、種々の支持形態を採用することができる。更に、凹溝２の断面形状は、略矩形のものに限らず、ガイドレールＲの位置決めができるものであれば、他の形状にすることもでき、これら何れのものも本発明の技術的範囲に属する。
【符号の説明】
【００３０】
１    本体
２    凹溝
３    固定具
Ｄ    扉板
Ｒ    ガイドレール
ｈ    吊支部品
【図１】
2018150735.tif 000003
【図２】
2018150735.tif 000004
【図３】
2018150735.tif 000005
【図４】
2018150735.tif 000006
【図５】
2018150735.tif 000007